Podtech/llm-jp-corpus-v4-ja_patent huggingface dataset:
(57)【要約】【課題】  入口と出口の寸法を短くできる短面間減圧弁を得ること。【解決手段】  接続部１と減圧弁２とで短面間減圧弁を構成する。接続部１を、同軸上に形成した入口３と出口４と、入口３と減圧弁２内の減圧弁室と連通する入口通路５と、出口４と連通する連通路６とで構成する。入口３の外周につば状のウェハー型フランジレス７を形成し、同様に、出口４の外周につば状のウェハー型フランジレス８を形成する。減圧弁２には内部の減圧弁室に弁部材を配置して、入口３から流入してくる蒸気を所定の設定圧力に減圧して出口４へ流下させる。  接続部１の入口３と出口４の間をウエハー型フランジレスとしたことにより、入口３と出口４の寸法を短くでき短面間減圧弁とすることができる。【選択図】図１
2012168903.tif 000002
【特許請求の範囲】
【請求項１】
入口と出口を形成した接続部を一側面に有し入口に連通する減圧弁室と出口に連通する連通路とを内部に有するケーシングと、減圧弁室に配置され減圧通路を開閉する弁部材とから成るものにおいて、接続部の入口と出口の間をウェハー型フランジレスとしたことを特徴とする短面間減圧弁。
【発明の詳細な説明】
【技術分野】
【０００１】
本発明は、弁の出口側を所定の設定圧力に維持することのできる自力式圧力調整弁としての減圧弁に関し、特に、既設のフランジとフランジの間に挟み込んで使用する面間寸法の短い短面間減圧弁に関する。
【背景技術】
【０００２】
減圧弁は、蒸気や圧縮空気や液体等の配管系に取り付けて、出口側すなわち弁の二次側の流体圧力を一次側よりも低い所定の設定圧力に保つものである。
【０００３】
例えば従来の減圧弁しての配管ジョイント付減圧弁は、入口と出口を形成した接続部を一側面に有し入口に連通する減圧弁室と出口に連通する連通路とを内部に有するケーシングとを有しケーシングに回動自在に着脱される配管ジョイント部材と、接続部と一体にあるいは別体に形成されケーシングと配管ジョイント部材を連結する固定部材と、接続部が設けられた一側面から取り付けられ減圧弁室と連通路とを連通する出口通路を有する弁座部材と、減圧弁室に配置され減圧通路を開閉する減圧弁部材と、を具備するものである。
【０００４】
上記従来の減圧弁は、入口と出口を、それぞれ既設の配管にネジ接続して使用するものであるが、入口と出口の間の寸法が長くなってしまうという問題点があった。
【特許文献１】特開平８−３０３３４
【発明の開示】
【発明が解決しようとする課題】
【０００５】
解決しようとする課題は、面間寸法の短い短面間減圧弁を提供することである。
【課題を解決するための手段】
【０００６】
本発明は、入口と出口を形成した接続部を一側面に有し入口に連通する減圧弁室と出口に連通する連通路とを内部に有するケーシングと、減圧弁室に配置され減圧通路を開閉する弁部材とから成るものにおいて、接続部の入口と出口の間をウェハー型フランジレスとしたものである。
【発明の効果】
【０００７】
本発明は、接続部の入口と出口の間をウエハー型フランジレスとしたことにより、入口と出口の寸法を短くでき短面間減圧弁とすることができる。
【図面の簡単な説明】
【０００８】
【図１】本発明の実施の形態に係る短面間減圧弁の構成図である。
【発明を実施するための形態】
【０００９】
以下、本発明の実施の形態について図１を参照して説明する。図１は短面間減圧弁を上側から見た状態を示し、接続部１と減圧弁２で短面間減圧弁を構成する。
【００１０】
接続部１は、同軸上に形成した入口３と出口４と、入口３と減圧弁２内の減圧弁室と連通する入口通路５と、出口４と連通する連通路６とで構成する。入口３の外周につば状のウェハー型フランジレス７を形成し、同様に、出口４の外周にウェハー型フランジレス８を形成する。
【００１１】
減圧弁２には図示はしないが減圧弁室に弁部材を配置して、入口３から流入してくる流体、たとえば蒸気、を所定の設定圧力まで減圧して出口４へ流下させるものである。
【００１２】
実際に蒸気配管に短面間減圧弁を取り付ける場合は、入口３の上端面９と出口４の下端面１０を、蒸気配管に既設の図示しないフランジに挟み込んで取り付ける。このように、接続部１の入口３と出口４の間をウエハー型フランジレスとしたことにより、入口３と出口４の寸法を短くでき短面間減圧弁とすることができる。
【産業上の利用可能性】
【００１３】
本発明は、蒸気などの流体配管への取り付けスペースが狭小な場合であっても取り付けることができ、各種配管が複雑に交錯する工場プラント等に適合した減圧弁とすることができる。
【符号の説明】
【００１４】
１  接続部
２  減圧弁
３  入口
４   出口
５  入口通路
６  連通路
【図１】
2012168903.tif 000003
(57)【要約】      （修正有）【課題】冷蔵庫の食品に関しては賞味期限や消費期限を設定しその期限内に食べるよう促すことができ、冷蔵庫に貼り付けるメモを電子化でき、インターネットと接続し冷蔵庫の在庫管理やカレンダーおよびコンテンツを表示できる冷蔵庫を提供する。【解決手段】多目的冷蔵庫の上部にＣＣＤカメラを設置して冷蔵庫に出し入れする食品を撮影して、画像情報をインターネット・サーバーに送る、成形された画像は液晶タッチパネルに表示され、そこで消費期限や賞味期限を入力する。賞味期限や消費期限が切れた食品は液晶タッチパネルに表示され、スピーカで音声警告される。液晶タッチパネルは読み書き可能なメモ帖として活用できる。また、インターネット・サーバーと連動してＷＷＷのコンテンツとして市町村別のゴミの日のカレンダーや料理のレシピなどを表示できる。冷蔵庫の在庫状況を遠隔の携帯電話等で照会することも可能である。【選択図】図１
2012168666.tif 000002
【特許請求の範囲】
【請求項１】
冷蔵庫上部にＣＣＤカメラとインターネット・サーバを具備して、冷蔵庫の正面に液晶タッチパネルを具備して、スピーカとヒト感知センサーを具備する多目的冷蔵庫はＣＣＤカメラの映像情報をインターネット・サーバに送り、画像成形した画像を液晶タッチパネルに表示して消費期限あるいは賞味期限を利用者が入力して在庫情報をインターネット・サーバに蓄積して、消費期限あるいは賞味期限を管理しつつ、期限外の食品を液晶タッチパネルに表示して、スピーカで警告の音声を利用者に促すことを特徴とした多目的冷蔵庫。
【請求項２】
請求項１において、インターネット・サーバーは携帯電話あるいは遠隔のパソコンからアクセス可能であって、冷蔵庫内の在庫量を把握することが可能であり、ＷＷＷのコンテンツを液晶タッチパネルに表示することが可能であって、市町村別のゴミの日のカレンダーを表示することを特徴とする多目的冷蔵庫。
【請求項３】
請求項２において冷蔵庫内の在庫量を一定にするため、宅配業者とをインターネット・サーバでつないで、食品の宅配を容易に行えることを特徴とする多目的冷蔵庫。
【発明の詳細な説明】
【技術分野】
【０００１】
本発明は、家庭用冷蔵庫の食品の出し入れと消費・賞味期限の設定、液晶タッチパネルおよびＣＣＤセンサーと画像認識装置を備え付けたものである。
【発明の概要】
【発明が解決しようとする課題】
【０００２】
冷蔵庫の食品の賞味期限や消費期限を越えて使ってしまい、食品を食べることによって健康被害にあう恐れがある。主婦らは冷蔵庫にメモを張ったりする傾向がある、そこで液晶タッチパネルを設置してメモを取りやすくしたり、インターネットサーバと接続することで市町村別のゴミの日のカレンダーを表示したりする。食品の期限については液晶タッチパネルやスピーカから警告を促すことができる。インターネットサーバと接続する環境が整えられているため携帯電話や遠隔のパソコンで冷蔵庫の在庫状況を把握できるなどの利点がある。
【発明の効果】
【０００３】
冷蔵庫の食品に関しては賞味期限や消費期限を設定して、その期限内に食べるよう促すことができる。冷蔵庫に貼り付けるメモを電子化できるためハードディスクの容量に応じたメモを残すことができる。インターネットと接続できるため冷蔵庫の在庫管理やカレンダーおよびコンテンツを表示することができる。市町村別のゴミの日のカレンダーが表示できれば台所においてゴミの廃棄日がわかる。
【先行技術文献】
【特許文献】
【０００４】
【特許文献１】特許公開２０１０−０４８５０８
【特許文献２】特許公開２００３−００４３６８
【実施例】
【０００５】
多目的冷蔵庫の上部にＣＣＤカメラを設置して冷蔵庫に出し入れする食品を撮影して、画像情報をインターネット・サーバーに送る、成形された画像は液晶タッチパネルに表示され、そこで消費期限や賞味期限を入力する。賞味期限や消費期限が切れた食品は液晶タッチパネルに表示され、スピーカで音声警告される。液晶タッチパネルは読み書き可能なメモ帖としても活用できる、またインターネット・サーバーと連動してＷＷＷのコンテンツを表示することが可能である。コンテンツとしては市町村別のゴミの日のカレンダーを表示させたり、検索サイトから、料理のレシピなどを表示させることも可能になる。冷蔵庫の在庫状況を遠隔の携帯電話で照会したり、パソコンで照会することも可能である。宅配業者による配達で一定の食品の在庫量を冷蔵庫に確保したりすることも可能である。
【図面の簡単な説明】
【０００６】
【図１】本発明の多目的冷蔵庫の正面図である。
【符号の説明】
【０００７】
１    ＣＣＤカメラ
２    冷蔵庫インターネット・サーバー
３    冷蔵庫右扉
４    冷蔵庫左扉
５    液晶タッチパネル
６    液晶タッチパネル
７    スピーカ兼人感知センサー
８    野菜冷凍庫
９    冷凍トレイ
１０    冷凍庫
１１    製氷トレイ
【図１】
2012168666.tif 000003
(57)【要約】【課題】何らかのサービスの提供を受ける際に、サービス提供者を適切に選択するためのシステムを提供する。【解決手段】サービス利用者９は、コンピュータ端末１や携帯端末２を通して、サービスを提供してほしくない人を１人あるいは複数人を指定して予約あるいは受付情報を登録する。また、コンピュータ端末１や携帯端末２を通して、サービスを受けた後の評価情報を登録する。予約・受付管理サーバ４は予約・受付データDB５、評価データDB６を保有しており、予約・受付データおよび評価データをDBへ蓄積する。予約・受付管理サーバ４は、これらのDBへ蓄積された情報を根拠として、サービス利用者９の満足度を高めることができると思われるサービス提供者グループを選定する。実際に予約リクエストが発生した際に、この選定されたサービス提供者グループの中から実際のサービス提供者を選定し予約や受付情報を予約・受付データDB５へ登録する。【選択図】図１
2012168749.tif 000002
【特許請求の範囲】
【請求項１】
何らかのサービスの予約、あるいはサービスの受付、あるいはサービス提供者の提示を行うシステムにおいて、サービスを提供してほしくない人を指定することができる手段を有することを特徴とするサービス受付装置。
【請求項２】
何らかのサービスの予約、あるいはサービスの受付、あるいはサービス提供者の提示を行うシステムにおいて、過去にサービスを受けたサービス提供者に対する評価と他のサービス利用者による評価データに基づき、サービス利用者毎に適切なサービス提供者あるいはサービス提供者グループを選定する手段と、選定されたサービス提供者あるいはサービス提供者グループに対して予約あるいはサービスの受付を行う手段を備えることを特徴とするサービス受付装置。
【発明の詳細な説明】
【技術分野】
【０００１】
本発明は、サービス業において最適なサービス提供者を選択するためのシステムである。
【背景技術】
【０００２】
従来、サービス業においてサービスを提供する人を指名して予約あるいは受付することは行われている。しかし、この人には担当してもらいたくないという指名（逆指名）を行いたい状況も存在する。
【０００３】
また、その人以外の特定の担当者を指名することはできるが、複数のサービス提供者が存在する場合、誰が最適なサービス提供者であるかどうか判断することが難しい。
【０００４】
また、サービス提供者のサービスレベルはサービス提供店舗の基準により一律にランク分けされることが一般的である。一方、サービスの良し悪しはサービスの提供を受けた人により判断が異なる。そのため、サービス提供側が得る対価とサービス利用者側の満足度が比例しないことも発生する。
【発明の概要】
【発明が解決しようとする課題】
【０００５】
従来の予約や受付システムでは、ある特定のサービス提供者からサービスを受けることを好まない場合に、具体的な人の名前を店舗側へ知らせることなく、その人からサービス提供を受ける機会を回避する手段が存在しない。また、初めてある店舗でサービスを受けようとする場合、誰にサービスを提供してもらうのが適切なのか分からない。とりわけ店舗にサービス提供者が複数人存在する場合、全員からサービスを受けて最適な人を決定するのは現実的ではない。
【課題を解決するための手段】
【０００６】
本発明では、担当してほしくない人を指定して予約や受付することができることを特徴とするシステムを提供する。本システムを利用する店舗では、個別の予約に関して、担当してほしくないと指名された人の情報を知ることはできず、結果的にシステムで割り当てられた人の情報を知ることができる。そのため担当してほしくない人を店舗に知らせることなく予約することができる。店舗側では、特定の予約に紐づかない情報として「担当してほしくない人」と指定された人を知ることができる。
【０００７】
また、サービスを受ける毎に、担当したサービス提供者の評価を蓄積し、他のサービス利用者の評価情報と比較あるいは統計処理を行うことで、数回程度の利用により、適切なサービス提供者の候補を抽出する。
【０００８】
これらの結果、特定の担当者を指名することなく、利用者毎に異なる適切なサービス提供者のグループに対して予約を入れることが可能となる。実際のサービス提供者はサービス提供者グループの中から本システムにより決定する。初期の段階でサービス提供者が固定することなく、サービス利用者に適した選択肢の中でサービス提供者が変化することになる。
【発明の効果】
【０００９】
本発明を用いることで、複数のスタッフの中の一部のスタッフのサービス品質が悪い、あるいは、相性が悪いことにより、サービス利用者がサービスを受けることを取りやめることを防ぐことが可能となる。また、本発明のシステムがお勧めのサービス提供者を提示することにより、短期間で最適なサービス提供者あるいはサービス提供者グループとめぐり合うこと可能となる。また、サービス利用者に適したサービス提供者のグループに対して予約行うことで、サービス利用者は特定のサービス提供者を指名しているわけではなく、サービス利用者の指名変更のコストが不必要となり、サービスの継続的な利用に結びつく。
【図面の簡単な説明】
【００１０】
【図１】図１は本システムの実施例１における構成図である。
【図２】図２は本システムの概念図である。
【実施例１】
【００１１】
図１は、本発明をサービス業に適用する場合のブロック構成図である。携帯端末２はインターネット接続可能な携帯電話あるいはスマートフォンが相当し、コンピュータ端末１および携帯端末２はインターネットを経由してWebサーバ３へ接続する。予約・受付管理サーバ４はコンピュータ端末１あるいは携帯端末２から入力される情報に基づき、担当者の選択・決定を行い予約あるいは受付情報として予約・受付データＤＢ５へ情報を格納する。また、コンピュータ端末１および携帯端末２によりサービスの評価情報が入力された場合は、その評価内容を評価データＤＢ６へ蓄積する。予約・受付管理サーバ４は評価データＤＢ６に蓄積された情報に基づき、サービス利用者に適した１人あるいは複数のサービス提供者を選定する。実際に予約のリクエストが発生した場合は、ここで選定されたサービス提供者の中から実際にサービスを提供する人を本発明のシステムにて決定し、コンピュータ端末１あるいは携帯端末２を用いて提示する。
【００１２】
本実施例の概念図を図２に示す。サービス利用者１１がサービスを提供してほしくない人を指定して予約を行ったり、本システム１２により、他者による評価も含めた過去のサービス評価を元に適切な担当者の集合（グループ）を選定し、その中から実際のサービス提供者を決定して予約の登録を行う。
【符号の説明】
【００１３】
１    コンピュータ端末
２    携帯端末
３    Webサーバ
４    予約・受付管理サーバ
５    予約・受付データDB
６    評価データDB
７    店舗マスタDB
８    ユーザマスタDB
９    サービス利用者
１０  システムにより決定されたサービス提供者
１１  サービス利用者
１２  本システム
【図１】
2012168749.tif 000003
【図２】
2012168749.tif 000004
(57)【要約】【課題】従来の方法でローソク立ての掃除をする場合、受皿部と芯の付根に垂れ蝋が固着し、専用の用具などを使用しても手間が掛かり、材質によっては傷を付ける恐れもあったが、本発明は、それら全ての問題を解決するためになされたものである。【解決手段】中空部を有するグリップ部に、無数の硬質線材を束ねたブラシ部がブラシ固定部により、ブラシ先端が外側に突き出した形状で中空部に固定されたことを特徴とするローソク立て掃除器。【選択図】図１
2012186133.tif 000002
【特許請求の範囲】
【請求項１】
中空部を有するグリップ部に、無数の硬質線材を束ねたブラシ部がブラシ固定部により、ブラシ先端が外側に突き出した形状で中空部に固定されたことを特徴とするローソク立て掃除器。
【請求項２】
ブラシ部と中空部が重なり合う重合部を有することを特徴とする請求項１記載のローソク立て掃除器。
【発明の詳細な説明】
【技術分野】
【０００１】  本発明はローソク立ての清掃及び掃除に関するものである。
【背景技術】
【０００２】  従来、仏壇などに使用する一般的なローソク立てに付着した焼残り芯や固着した蝋を清掃するためには、主に爪やヘラ又は楊子などで取除いていた。
なお、専用の器具なども考案されている（特許文献１参照）。
【先行技術文献】
【０００３】
【特許文献１】  特開２００６−３３１７９７号公報
【発明の概要】
【発明が解決しようとする課題】
【０００４】  従来の方法でローソク立ての掃除をする場合、受皿部と芯の付根に垂れ蝋が固着し、専用の用具などを使用しても手間が掛かり、材質によっては傷を付ける恐れもあったが、本発明は、それら全ての問題を解決するためになされたものである。
【課題を解決するための手段】
【０００５】  掃除器本体となる外径１５ｍｍ、長さ６０ｍｍのパイプの先端より２５ｍｍの深さまで直径０．２ｍｍ程度の無数の金属線をらせん状に整列させ、筆状にし、又、その逆側は回転の動作が容易な、手の中に納まるグリップを設ける。
以上の構成よりなるローソク立て掃除器。
【発明の効果】
【０００６】  従来の方法としては剥し取るか、あるいは削り取っていたが、本発明はローソク立ての芯を先端の筆状部分に突き刺し、掃除器を回転させることにより、清掃と同時に研磨効果も得られ、お年寄りから子供まで誰が使用しても一定の効果が得られる。
【図面の簡単な説明】
【０００７】
【図１】  本発明の正面図
【図２】  本発明の断面図
【図３】  本発明の使用手順を示す手順図  ［図３−ａ］清掃する前の状態を示す図  ［図３−ｂ］回転させながら挿入する状態を示す図  ［図３−ｃ］挿入が完了して受け皿部を清掃している状態を示す図  ［図３−ｄ］回転させながら掃除器を抜き取り、清掃を終了する状態を示す図
【図４】  構造上の応用としてグリップ部に中空部を兼ね備えた図
【発明を実施するための形態】
【０００８】  以下、本発明を実施する形態を説明する。（図２参照）
パイプ状の中空部（３）の先端に、各々が不規則に屈曲した直径０．２ｍｍ程度の無数の金属線などの硬質の線材を螺旋状に整列させ、筆状に束ねたブラシ部（１）とし、
前記ブラシ部をブラシ固定部（２）により中空部３に固定する。
ブラシ部と中空部が重なり合う重合部を設ける。
この重合部はローソク立ての先端の長さ以上とする。
この重合部は使用時にブラシが横方向に広がることを防ぐ役割をなす。
中空部（３）のもう片方には、回転及び押し込みの操作が容易な、手の中に納まるグリップを設ける。
又、構造上の応用として、グリップ部に中空部を兼ね備えた構造にし、部品の点数を削減することも可能である。（図４参照）
【０００９】本発明は以上のような構造である。
本発明を使用するときは（図３参照）掃除器本体のグリップ部を握り、ローソク立ての先端部を筆状の中心部分に回転させながら挿入する（図３−ｂ参照）。掃除器が受け皿部に到達したのを確認し、さらに数回回転させる（図３−ｃ参照）。最後に掃除器を回転させながら抜き取る（図３−ｄ参照）。
【符号の説明】
【００１０】  （１）ブラシ部、  （２）ブラシ固定部、  （３）中空部、  （４）グリップ部、
【図１】
2012186133.tif 000003
【図２】
2012186133.tif 000004
【図３】
2012186133.tif 000005
【図４】
2012186133.tif 000006
(57)【要約】      （修正有）【課題】ＬＥＤ等の照明に清掃が不要となる使い捨てのカバー体を提供する。【解決手段】ＬＥＤ等の照明カバー３において、有色で透明なビニールやゴム、樹脂等で成形されたＬＥＤ等の照明カバー３。【選択図】図２
2012186131.tif 000002
【特許請求の範囲】
【請求項１】
ＬＥＤ等の照明カバーにおいて、有色で透明なビニールやゴム、樹脂等で成形されたＬＥＤ等の照明カバー。
【発明の詳細な説明】
【発明の詳細な説明】
【技術分野】
【０００１】  この発明は有色で透明なビニールやゴム、樹脂等で成形されたＬＥＤ等の照明カバーである。
【背景技術】
【０００２】  従来、ＬＥＤ等の照明カバーはガラスや硬質な樹脂等で成形されていた。
【発明が解決しようとする課題】
【０００３】従来には次のような欠点があった。
（イ）従来、ＬＥＤ等の照明カバーはガラスや硬質な樹脂等で成形されており、清掃が必要であった。
【課題を解決するための手段】
【０００４】  ＬＥＤ等の照明カバーにおいて、有色で透明なビニールやゴム、樹脂等で成形されたＬＥＤ等の照明カバー。
【発明を実施するための形態】
【０００５】  以下、本発明の実施の形態を説明する。
（イ）ＬＥＤ等の照明（１）（２）にカバー体（３）（４）を取り付ける。
本発明は以上のような構成で、これを使用するにはこれまでどおりＬＥＤ等を点灯させる。これを使用し続け、清掃の時期がくるとカバー体（２）を外し新しいカバー体に交換する。もしくはカバー体（３）（４）を外し、カバー体（３）（４）のみをＬＥＤ等の照明の破損を懸念することなく強く擦る清掃が可能となる。
【発明の効果】
【０００６】  カバー体（３）（４）の交換で清掃の必要が無くなる。又はカバー体（３）（４）のみをＬＥＤ等の照明の破損を懸念することなく強く擦る清掃が可能となる。
【図面の簡単な説明】
【図１】  ＬＥＤ等の照明の正面図である。
【図２】  カバー体の正面図である。
【図３】  本発明の使用状態の正面図である。
【符号の説明】（１）ＬＥＤ等の照明
（２）カバー体
【図１】
2012186131.tif 000003
【図２】
2012186131.tif 000004
【図３】
2012186131.tif 000005
(57)【要約】      （修正有）【課題】ＬＥＤ等の照明に高価なフルカラーＬＥＤ又は複数個のＬＥＤを用いなくても、様々な色を求めることができるカバー体を提供する。【解決手段】ＬＥＤ等の照明カバー３において、有色で透明なビニールやゴム、樹脂等で成形されたＬＥＤ等の照明カバー３。【選択図】図２
2012186132.tif 000002
【特許請求の範囲】
【請求項１】
ＬＥＤ等の照明カバーにおいて、有色で透明なビニールやゴム、樹脂等で成形されたＬＥＤ等の照明カバー。
【発明の詳細な説明】
【発明の詳細な説明】
【技術分野】
【０００１】  この発明は有色で透明なビニールやゴム、樹脂等で成形されたＬＥＤ等の照明カバーである。
【背景技術】
【０００２】  従来、フルカラーＬＥＤまたは、複数個のＬＥＤを用い、様々な色を発光していた。
【発明が解決しようとする課題】
【０００３】従来には次のような欠点があった。
（イ）ＬＥＤ等の発光体そのもので、発光する光の色を様々な色に実現していたため、高価なフルカラーＬＥＤを用いるか、複数個のＬＥＤを用いる等、コストが高くなっていた。
【課題を解決するための手段】
【０００４】  ＬＥＤ等の照明カバーにおいて、有色で透明なビニールやゴム、樹脂等で成形されたＬＥＤ等の照明カバー。
【発明を実施するための形態】
【０００５】  以下、本発明の実施の形態を説明する。
（イ）ＬＥＤ等の照明（１）（２）にカバー体（３）（４）を取り付ける。
本発明は以上のような構成で、これを使用するのはこれまでどおりＬＥＤ等のを点灯させる。すると、発光される光はカバー体（３）（４）を通過するため、カバー体の色そのものとなる。また、カバー体の変更で様々な光の色を求めることができる。
【発明の効果】
【０００６】  カバー体の交換で様々な色の光を求めることができ、また高価なフルカラーＬＥＤ又は複数個のＬＥＤを用いる必要がなくなる。
【図面の簡単な説明】
【図１】  ＬＥＤ等の照明の正面図である。
【図２】  カバー体の正面図である。
【図３】  本発明の使用状態の正面図である。
【符号の説明】  （１）ＬＥＤ等の照明
（２）カバー体
【図１】
2012186132.tif 000003
【図２】
2012186132.tif 000004
【図３】
2012186132.tif 000005
(57)【要約】      （修正有）【課題】携帯電話機の入出力を補完する事で、情報伝達の不便性を解消する装置を提供する。【解決手段】携帯電話のインターネット等の通信機能を利用することで、携帯電話以外の通信契約は不要である。本装置は薄く、軽く、安価な外部モニターで、携帯電話に接続して大きな画面で携帯電話の表示／操作が可能となる。また、本装置には、バッテリー、ハードディスク、アプリケーション等は装備せず、データ転送と電源供給は携帯電話機本体から行ない、液晶パネルにＬＥＤを採用することにより省電力型の装置を実現している。【選択図】なし【特許請求の範囲】
【請求項１】
携帯電話機以外の通信契約は不要となり、本装置を利用する事で携帯電話機の機能を使いこなす為のビジネスモデルである。
【発明の詳細な説明】
【技術分野】
【０００１】
本発明は、携帯電話機でインターネット閲覧を出来る契約をしていれば、iPad等スマートフォン同様に通信の二重契約が不要となるもので、タッチパネル式キーボード付の本装置を使用する事で、携帯電話機の機能をフルに使いこなすビジネスモデルである
【背景技術】
【０００２】
従来は、携帯電話機でメールなどの情報は小さな画面に表示され、文字入力も携帯電話機本体の操作によって出来ている。
【０００３】
本装置には、バッテリー・ハードディスク・アプリケーションは装備せず携帯電話機の機能を利用し、使い勝手の良い入出力をする装置である。
【先行技術文献】
【特許文献】
【０００４】
【特許文献１】特許公開２００９−２８４２０３
【特許文献２】特許公開２００５−３９７５３
【特許文献３】特許公表２００４−５３６４７５
【発明の概要】
【発明が解決しようとする課題】
【０００５】
データ通信やメールの送受信、画像閲覧、画像管理、スケジュール管理機能やアプリケーションによりゲーム機能等を有する携帯電話だが、携帯するという主目的の為に入出力デバイスのサイズが限られている。
本発明は携帯電話機の入出力を補完する事で、情報伝達の不便性を解消する装置を提供する。
【課題を解決するための手段】
【０００６】
本発明のデータ転送と電源現供給のケーブル部分は、本案件を採用したいという製造メーカーの規格や技術提供で解決とするが、前述の目的を達成する為に本発明は、携帯電話機が取得する情報を外部に表示補完する事と携帯電話機に情報を入力補完する装置を有し、情報の入出力補完手段を持つ発明とし上記課題を解決するものである。
【発明の効果】
【０００７】
利便性が高まるものとして、地デジ（ワンセグ）・ゲーム等の表示、メールやtwitter等の文字や、携帯本体に保存されている写真表示（フォトフレームとしての利用）や動画を大きく見れる事と、内蔵スピーカーで携帯電話に保存している音楽も聞けるという利点あり、タッチパネル式キーボードで文字入力もパソコン同様に入力する事が可能となる。
【０００８】
図１は本装置の図である
（図１）
2012186575.tif 000002
【発明を実施するための形態】
【０００９】
本装置は携帯する為の要素となる、小さく、軽く、薄いを実現するために、キーボード部分はタッチパネル式を採用し、液晶パネルには省電力型のLEDを採用。
【００１０】
図2は本装置でフォトフレームとして使用した図である。
（図２）
2012186575.tif 000003
【００１１】
図3は、本装置を開いた時の図である。
（図３）
2012186575.tif 000004
【００１２】
図4は、本装置を閉じた時の図である。
（図４）
2012186575.tif 000005
【００１３】
図5は、本装置を閉じた状態で横から見た図である。
（図５）
2012186575.tif 000006
(57)【要約】 【課題】  広範囲に均一な発光を実現する必要がある大面積面発光デバイスをもつ有機EL照明装置においては、その構造特性の為に、本体構造部の透過性が損なわれてしまう。有機EL照明は薄く軽く形状に制限がないという特徴を持ち、様々な場面で使われる可能性があるにも関わらず、使い勝手が限定されてしまう。【解決手段】  本発明は、有機EL層に間隙（孔）を設けることで、有機EL照明装置自体に一定の透過性を確保し、前述の問題点を解決している。【選択図】  図１
2012186098.tif 000002
【特許請求の範囲】
【請求項１】
間隙（孔）を有する有機EL層から成る、透過性を備えた有機EL照明装置
【請求項２】
前記間隙（孔）が円形状である請求項１の有機EL照明装置
【請求項３】
硝子の基板から成る請求項１の有機EL照明装置
【発明の詳細な説明】
【技術分野】
【０００１】
本発明は、有機EL層に間隙（孔）を設ける事により、透過性を確保した有機EL（エレクトロ・ルミネッセンス）照明装置に関するものである。          
【背景技術】
【０００２】
有機EL照明は、発熱が微小であり環境負荷が少なく、軽く薄く、そして面光源で形状に制約がないといった特性を持ち、従来の照明とは大幅に異なる特徴を備え、今後さらなる照明器具市場における普及が期待されている。
【０００３】
通常、電極層と有機物層の薄い幕を重ねた有機EL層を、硝子やプラスチックなどの透明基板と組み合わせて、有機EL照明装置を構成している。（参考／非特許文献１、２）
また、広範囲を均一に照らし、材料使用効率が高い塗布型有機ELが、蒸着型有機ELと共に次世代照明技術として注目されている。（参考／非特許文献２）
【先行技術文献】
【非特許文献】
【０００４】
【非特許文献１】「有機EL照明 基礎知識」コニカミノルタホールディングス株式会社  http://www.konicaminolta.jp/about/research/oled/about/index.html
【非特許文献２】「一般論文 塗布で作る新しい有機EL照明」株式会社東芝www.toshiba.co.jp/tech/review/2010/11/65_11pdf/f04.pdf
【発明の概要】
【発明が解決しようとする課題】
【０００５】
広範囲に均一な発光を実現する必要がある大面積面発光デバイスをもつ有機EL照明装置においては、電極層や補助層の不透過層を持つ構造特性の為に、有機EL層の透過性が損なわれてしまう。有機EL照明は薄く軽く形状に制限がないという特徴を持ち、様々な場面で使われる可能性があるにも関わらず、使い勝手が限定されてしまう。
【０００６】
本発明は、有機EL照明装置の有機EL層に間隙（孔）を設けることで、装置自体に一定の透過性を確保し、有機EL照明の利用性の幅を広げることを目的とし、前述の問題点を解決しようとするものである。
【課題を解決するための手段】
【０００７】
本発明は、有機EL照明装置の有機EL層に間隙（孔）を設け、その間隙（孔）部は透明になる為に、装置自体に一定の透過性を確保し、問題点を解決している。
【発明の効果】
【０００８】
上述した様に、本発明の「間隙（孔）を有する有機EL層から成る有機EL照明装置」は、有機EL照明が従来持ち合わせている、面発光し形状の自由度が高く、軽量で薄く熱をほとんど発生しないといった特性に加え、透過性の特性を持ち合わせる。その様な特徴を持った本発明は、特性を活かした新たなかたち（例／建材やプロダクト）での照明装置としての利用が考えられる。
【図面の簡単な説明】
【０００９】
【図１】間隙（孔）部の有機EL照明断面組成図
【図２】「間隙（孔）を有する有機EL層から成る有機EL照明装置」姿図
【図３】「間隙（孔）を有する有機EL層から成る有機EL照明装置」を窓として利用した際の効果イメージ図
【発明を実施するための形態】
【００１０】
以下、本発明の実施の形態を図１及び図２に基づいて説明する。
【００１１】
通常、有機EL照明は、透明基板に薄い有機EL層を構成する層を重ねた構造になっている。電極と有機物の層をガラスやプラスチックの基板に載せただけの薄くシンプルな構成が特徴である。
【００１２】
図１において、１及び8は硝子やプラスチックの透明基板を示している。２は陽極を示し、３は正孔輸送層、４は発光層、５は電子輸送層、６は陰極を示し、２〜６を合わせて有機EL照明の本体部を構成するものであり、有機EL層と呼ぶ。
【００１３】
7は有機EL層に設けられた間隙部を示している。７は間隙部である為に１から８の間に本体構造部の組成は無く、透明性を確保している。間隙部は、円形や多角形やスリット形状から成る柱状形状となっている。  
【００１４】
有機EL層の製造工程において、部分的にマスキング処理した中で各層の組成を行い透明基板と組み合わせる事により、もしくは、有機EL層を製造した後にパンチング加工し、透明基板と組み合わせる事により、「間隙（孔）を有する有機EL層から成る有機EL照明装置」を構成することができる。
【００１５】
図２において、９は有機EL照明装置を固定する為の固定フレームを示しており、１０「間隙（孔）を有する有機EL層から成る有機EL照明装置」を示している。１１及び１２は１０を拡大した部位であり、１１は有機EL層が組成した部分を示し、１２は有機EL層が組成していない間隙部を示している。装置自体の一定の透過性を確保する為に、開口率（間隙部の全体に対する割合）を20%~60%とする。
【００１６】
上記の構成により、本発明の有機EL照明装置は一定の透過性を伴うものとなり、光を透過することができる。
【００１７】
以下、図３に従って、一実施例を説明する。
【００１８】
本発明は、窓硝子や硝子パーティション等の建材として利用できる。
１３は「間隙（孔）を有する有機EL層から成る有機EL照明装置」をONにした際のイメージを示したものであり、面光源として光を発する照明器具となっている。
１４は、「間隙（孔）を有する有機EL層から成る有機EL照明装置」をOFFにした際のイメージを示したものであり、装置自体の透過性の特性の為、光を透過し反対側の景色が透けて見えている。
【００１９】
また、本発明は、鏡や装飾品等素材と組み合わせる事で、様々なプロダクトにも利用できる。
「間隙（孔）を有する有機EL層から成る有機EL照明装置」をONにすると、面光源として光を発する照明器具となり、OFFにすると、透過性の特性の為、組み合わせたそれぞれの素材の質感が有機EL装置の表面に姿を現す。
【符号の説明】
【００２０】
１  基板
２  陽極
３  正孔輸送層
４  発光層
５  電子輸送層
６  陰極
７  間隙部
８  封止基板
９  固定フレーム
１０  間隙（孔）を有する有機EL層から成る有機EL照明装置
１１  有機EL層が組成した部分
１２  有機EL層が組成していない間隙部
１３  「間隙（孔）を有する有機EL層から成る有機EL照明装置」ONイメージ
１４  「間隙（孔）を有する有機EL層から成る有機EL照明装置」OFFイメージ
【図１】
2012186098.tif 000003
【図２】
2012186098.tif 000004
【図３】
2012186098.tif 000005
(57)【要約】      （修正有）【課題】テレビでラジオを聴く事が出来るようにする為に、ラジオを内蔵したラジオ付テレビを提供する。【解決手段】テレビ本体１の一部分に、ラジオ４を内蔵し、スピーカー７へ接続をしリモコンによりテレビとラジオの操作を行なう。また、テレビ本体の一部分に、ＣＤプレーヤー５、ＵＳＢメモリジャック６を内蔵することもできる。【選択図】図１
2012186775.tif 000002
【特許請求の範囲】
【請求項１】
テレビ本体（１）の一部分にラジオ（４）を内蔵したラジオ付テレビ。
【請求項２】
テレビ本体（１）の一部分にＣＤプレーヤー（５）を内蔵した請求項１のラジオ付テレビ。
【請求項３】
テレビ本体（１）の一部分にＵＳＢメモリージャック（６）を内蔵した請求項１のラジオ付テレビ。
【請求項４】
ラジオ（４）、ＣＤプレーヤー（５）ＵＳＢメモリージャック（６）スピーカー（７）を内蔵したラック。
【発明の詳細な説明】
【技術分野】本発明は、テレビにラジオを内蔵したラジオ付テレビに関するものである。
【背景技術】従来、ラジオの付いているテレビは、なかった。
【発明が解決しようとする課題】
従来、テレビとラジオは、それぞれ個別に販売されている。したがい別々に購入しなければならない。
本発明は、これらの欠点を解決する為に、なされたものである。
【課題を解決する為の手段】
テレビ本体（１）の一部分に、ラジオ（４）を内蔵する。
本発明は、以上の構成よりなるラジオ付テレビである。
【発明の効課】
１、本発明のテレビを購入するだけでテレビとラジオ、２つの機能を利用出来る。
２、テレビの臨場感あるスピーカーでラジオ放送を聴く事が出来る。
【発明を実施する為の最良の形態】
テレビ本体（１）の一部分に、ラジオ（４）を内蔵し、スピーカー（７）へ接続をしリモコンによりテレビとラジオの操作を行なう。
【関連発明】
１、テレビ本体（１）の一部分に、ＣＤプレーヤー（５）を内蔵し、テレビでＣＤを聴く事が出来るようにする。
２、テレビ本体（１）の一部分に、ＵＳＢメモリージャック（６）を内蔵し、ＵＳＢメモリーに収録された音楽を聴く事が出来るようにする。
３、ラジオ（４）、ＣＤプレーヤー（５）、ＵＳＢメモリージャック（６）、スピーカー（７）を、ラック（２）の一部分に内蔵し、テレビ本体（１）にラジオ（４）が内蔵されていなくても、テレビとセットで、ラジオを聴く事が出来るようにする。
【図面の簡単な説明】
【図１】本発明のラジオ付テレビ斜視図
【図２】本発明のラジオ付ラック斜視図
【符号の説明】１  テレビ本体
２  ラック
３  スタンド
４  ラジオ
５  ＣＤプレーヤー
６  ＵＳＢメモリージャック
７  スピーカー
【図１】
2012186775.tif 000003
【図２】
2012186775.tif 000004
(57)【要約】      （修正有）【課題】運転者の手首とグリップに取り付けたデッドマンスイッチの位置関係を主ハンドルの回転角度とは関係なく一定にすることで運転者の疲労を防止する。【解決手段】グリップ２に、主ハンドルの回転角度に等しくなる角度の切欠きを設け、枕木方向の軸に対して一定の範囲内で回転自由になるよう接続し、グリップ内部にバランスウェイト３を設けて、グリップ２から手を離すとバランスウェイト３の自重で特定位置に戻る機構とする。【選択図】図３
2012186886.tif 000002
【特許請求の範囲】
【請求項１】
操作位置切替え用の主ハンドルの回転操作角に関係なく、該主ハンドルと回転自由に接続するグリップを有する鉄道車両用の主幹制御器において、操作より解放された該グリップを特定位置に回動して戻すバランスウェイトを前記グリップ内に具備することを特徴とする鉄道車両用主幹制御器。
【発明の詳細な説明】
【技術分野】
【０００１】
本発明は、鉄道車両用主幹制御器の構造に関するものである。
【背景技術】
【０００２】
従来の鉄道車両用主幹制御器は、主ハンドルとグリップが固定されており、主ハンドルの回転操作を行うと、グリップも主ハンドルと一体となって回転するものであった。
【先行技術文献】
【特許文献】
【０００３】
【特許文献１】特開平１１−８９０１３号公報
【発明の概要】
【発明が解決しようとする課題】
【０００４】
従来の鉄道車両用主幹制御器では、グリップに運転者が操作可能である状況であることを検出するデッドマンスイッチが取り付けられ、通常はこのスイッチを握り込みながら操作を行う。
【０００５】
グリップは主ハンドルに固定されているため、長時間にわたり操作を繰り返すと、運転者の手首が頻繁に動かされることにより疲労するという問題があった。
【０００６】
本発明の目的は、運転者の手首とグリップに取り付けたデッドマンスイッチの位置関係を主ハンドルの回転角度とは関係なく一定にすることで、快適に操作を行うことができるという点にある。
【０００７】
特許文献１に記載されているように、主ハンドルとグリップを枕木方向の軸について回転自由に接続し、ねじりコイルばねおよび回転ストッパを設けるという手法がある。
【０００８】
また、停車中や操作を行なわない状態では、グリップを速やかに初期位置に戻すことで、次に操作を行う際に操作性を向上させる必要がある。
【０００９】
しかし、特許文献１に記載されている方法では、戻しばねのばね力が弱いとグリップが特定位置に戻らず、ばね力が強いと逆に操作中に運転者の手首に負担がかかるという問題があった。
【課題を解決するための手段】
【００１０】
前記の目的を達成するため、請求項１の発明によれば、操作位置切替え用の主ハンドルの回転操作角に関係なく、該主ハンドルと回転自由に接続するグリップを有する電気鉄道車両用の主幹制御器において、操作より解放された該グリップを特定位置に回動して戻すバランスウェイトを前記グリップ内に具備することを特徴とする。
【００１１】
すなわち、グリップ内部に主ハンドルの回転角度に等しくなる角度の切欠きを設け、枕木方向の軸に対して一定の範囲内で回転自由になるよう接続する。グリップ内部にバランスウェイトを設け、グリップから手を離すと、バランスウェイトの自重によりグリップが特定位置に戻る機構にする。
【発明の効果】
【００１２】
本発明によれば、常にグリップとデッドマンスイッチを握りながら、主ハンドルの操作角度とは関係なく運転者の手首の角度を一定に保つことが可能になり、運転者の疲労を軽減し、操作性の向上を図ることができる。
【図面の簡単な説明】
【００１３】
【図１】本発明実施例の主幹制御器外観図である。
【図２】本発明実施例の主幹制御器主ハンドルの平面図である。
【図３】本発明実施例の主幹制御器主ハンドルの側面図である。
【発明を実施するための形態】
【００１４】
図１は、本発明を実施した主幹制御器の例の外観図である。主ハンドル１の一端は、操作盤内に設置されたポテンショメータやロータリエンコーダのような回転検出器６に接続されている。
【実施例１】
【００１５】
キー７を挿入し回転させると、逆転器８が操作可能となる。キー７の抜き挿しは主ハンドル１が「非常ブレーキ」の位置、逆転器８が「中立」の位置において可能である。
【００１６】
主ハンドル１の他端に取り付けられたグリップ２を握り、回転操作させることにより、回転部に取り付けられた回転検出器６を通じて、制御装置から主ハンドル１の回転角度に応じた信号が出力される。
【００１７】
主ハンドル１は逆転器８が「前進」および「後退」のときのみ操作可能である。
【００１８】
図２のように、グリップ２にはデッドマンスイッチ４が取り付けられており、グリップ２と共にスイッチを握ることにより、スピンドル９を介して、内部スイッチ１０が投入され、操作可能であることを検出する。
【００１９】
デッドマンスイッチ４を解放すると、戻しばね５の力でスイッチとスピンドル９が戻され、内部スイッチ１０が切れ、何らかの理由により運転者が操作できない状況であることを検出し、緊急ブレーキが動作する。
【００２０】
図３のように、グリップ２は主ハンドル１の回転範囲内で自由に回転することができる機構となっており、主ハンドル１の回転角度とは関係なく、デッドマンスイッチ４と運転者の間の位置関係は一定となる。
【００２１】
また、グリップ２が回転可能な範囲において、運転者の任意の位置で操作することが可能である。
【００２２】
車両の運転操作は、停車状態からの操作を基本とするので、グリップ２の基準位置を、主ハンドル１が「非常ブレーキ」または「最大ブレーキ」の位置に定める。
【００２３】
主ハンドル１がグリップ２の基準位置以外にある場合からの操作においても、グリップの回転は妨げられることなく操作することができる。
【００２４】
グリップ２を解放すると、バランスウェイト３の自重により、グリップ２は速やかに基準位置に戻る。
【符号の説明】
【００２５】
１    主ハンドル
２    グリップ
３    バランスウェイト
４    デッドマンスイッチ
５    戻しばね
６    回転検出器
７    キー
８    逆転器
９    スピンドル
１０  内部スイッチ
【図１】
2012186886.tif 000003
【図２】
2012186886.tif 000004
【図３】
2012186886.tif 000005
(57)【要約】      （修正有）【課題】外部からの熱線による温度上昇を抑えることができ、冷却効率を向上できる冷却フィン構造を提供する。【解決手段】複数の冷却フィン１１を並列に配列してなる冷却フィン構造であって、少なくとも一部の冷却フィン１１の先端部に、該冷却フィン１１の延在方向に亘って形成された屈曲部１２を備える。屈曲部１２によって日射などの外部からの熱線の進入を遮り、外部からの熱線による温度上昇を有効に抑え、冷却効率を向上させる。【選択図】図１
2012186378.tif 000002
【特許請求の範囲】
【請求項１】
複数の冷却フィンを並列に配列してなる冷却フィン構造であって、
少なくとも一部の冷却フィンの先端部に、該冷却フィンの延在方向に亘って形成された屈曲部を備える、
ことを特徴とする冷却フィン構造。
【請求項２】
前記屈曲部の劣角θは、９０度＜θ＜１８０度を満足する、
ことを特徴とする請求項１に記載の冷却フィン構造。
【請求項３】
前記屈曲部は、隣接する冷却フィンの間を覆う投影面積を有する、
ことを特徴とする請求項２に記載の冷却フィン構造。
【発明の詳細な説明】
【技術分野】
【０００１】
本発明は、冷却フィン構造に関するものである。
【背景技術】
【０００２】
例えば、気密構造の筐体を有する無線通信システムの基地局においては、図２に斜視図で示すように、筐体１００の表面に複数の直立した冷却フィン１１０を直線状に並列に形成して、内蔵するパワーアンプ等の電子デバイスの温度上昇を抑えるようにしている。ところが、基地局が屋外等の日差しを受ける場所に設置されている場合は、図３に一部の拡大断面図を示すように、隣接する冷却フィン１１０の間隙を通して筐体表面１００ａに矢印で示す日差しが差込み、それにより筐体表面１００ａが直接加熱されて内部温度が上昇する場合がある。
【０００３】
その対策として、例えば、遮光を必要とする筐体面の全体を覆うように、日除け板を設けることが知られている（例えば、特許文献１参照）。
【先行技術文献】
【特許文献】
【０００４】
【特許文献１】特開平１０−４１８７３号公報
【発明の概要】
【発明が解決しようとする課題】
【０００５】
しかしながら、冷却フィンを有する面側に、特許文献１に開示の日除け板を設けると、冷却フィンによる空気の流れが阻害されて、冷却フィンによる冷却効率が低下し、結果として、日射による温度上昇を防止できないことになる。しかも、日射によって日除け板自体が温度上昇すると、日除け板から再輻射される熱によって筐体が加熱され、筐体の温度上昇が加速されることも懸念される。なお、このような問題は、日射に限らず、熱線源を有する屋内に筐体が設置される場合も同様に生じるものである。
【０００６】
したがって、かかる点に鑑みてなされた本発明の目的は、外部からの熱線による温度上昇を抑えることができ、冷却効率を向上できる冷却フィン構造を提供することにある。
【課題を解決するための手段】
【０００７】
上記目的を達成する第１の観点に係る冷却フィン構造の発明は、複数の冷却フィンを並列に配列してなる冷却フィン構造であって、
少なくとも一部の冷却フィンの先端部に、該冷却フィンの延在方向に亘って形成された屈曲部を備える、
ことを特徴とするものである。
【０００８】
第２の観点に係る発明は、第１の観点に係る冷却フィン構造において、
前記屈曲部の劣角θは、９０度＜θ＜１８０度を満足する、
ことを特徴とするものである。
【０００９】
第３の観点に係る発明は、第２の観点に係る冷却フィン構造において、
前記屈曲部は、隣接する冷却フィンの間を覆う投影面積を有する、
ことを特徴とするものである。
【発明の効果】
【００１０】
本発明に係る冷却フィン構造によると、屈曲部によって日射等の外部からの熱線の進入が遮られるので、外部からの熱線による温度上昇を有効に抑えることができ、冷却効率を向上することが可能となる。
【図面の簡単な説明】
【００１１】
【図１】本発明の一実施の形態に係る冷却フィン構造の要部の構成を模式的に示す拡大断面図である。
【図２】従来の冷却フィン構造を示す斜視図である。
【図３】図２の一部の拡大断面図である。
【発明を実施するための形態】
【００１２】
以下、本発明の実施の形態について、図を参照して説明する。
【００１３】
図１は、本発明の一実施の形態に係る冷却フィン構造の要部の構成を模式的に示す拡大断面図である。図１に示す冷却フィン構造は、図２に示した気密構造の筐体を有する無線通信システムの基地局に適用したもので、筐体１０の全体は、例えばアルミダイカストからなる。この筐体１０の表面には、複数の冷却フィン１１が並列に直立して形成されており、その各々の先端部には、冷却フィン１１の延在方向に亘って屈曲部１２が一体に形成されている。
【００１４】
各屈曲部１２は、当該冷却フィン１１の筐体表面１０ａからの直立部分１１ａと成す劣角θが、９０度＜θ＜１８０度を満足する。また、各屈曲部１２は、筐体表面１０ａの平面視において、隣接する冷却フィンの間を覆う投影面積を有するように形成されている。
【００１５】
本実施の形態に係る冷却フィン構造によると、筐体１０が、例えば屋外に設置された場合、図１に矢印で示す日差しは、屈曲部１２で遮られて筐体表面１０ａに達しない。したがって、筐体表面１０ａが日射によって直接加熱されることがない。また、屈曲部１２は、冷却フィン１１の先端部に形成されているので、日射によって加熱されても、気流による冷却効果が大きい。そのため、屈曲部１２の熱は、筐体表面１０ａに伝達しにくい。
【００１６】
以上のことから、本実施の形態に係る冷却フィン構造によると、日射による筐体内部の温度上昇を効果的に防止することができる。例えば、本発明者が行った比較実験によると、図２に示した従来の冷却フィン構造を有する基地局の場合、日射による筐体内部の平均温度上昇が７度であったのに対して、同様の基地局に本実施の形態による冷却フィン構造を適用した場合、日射による筐体内部の平均温度上昇を従来の５０％以下にできたことが確認できた。したがって、筐体内の電子デバイスの冷却を促進できるので、基地局の小型化が可能となる。
【００１７】
なお、本発明は、上記実施の形態にのみ限定されるものではなく、幾多の変形または変更が可能である。例えば、冷却フィンは、筐体と一体に形成される場合に限らず、筐体と別体に形成されて、筐体表面に取り付けられる構造であってもよい。また、本発明に係る冷却フィン構造は、屋外設置機器に限らず、熱線源を有する屋内に設置される機器に対しても有効に適用することができる。さらに、屈曲部は、冷却フィンの直立部分の平面視において、隣接する冷却フィンの間を完全に覆う投影面積を有する形状に限らず、日射等の熱線の入射方向に見て、隣接する冷却フィンの間の底部および／または隣接する冷却フィンの直立部分に入射しないような投影面積を有する形状に形成することも可能である。
【符号の説明】
【００１８】
１０  筐体
１０ａ  筐体表面
１１  冷却フィン
１１ａ  直立部分
１２  屈曲部
【図１】
2012186378.tif 000003
【図２】
2012186378.tif 000004
【図３】
2012186378.tif 000005
(57)【要約】【課題】再生不可能なエネルギーの枯竭・地球環境の悪化は今まで各国の問題で有る、毎年は大勢な人力と財力を掛かる。【解決手段】再生可能エネルギー、水素の安全使用する。水から分解した水素と酸素も一回水に戻る、簡単な繰り返す、そして一番しやすい循環である。電力の取る方法はいくつ有る、でも普通のレンジ使うガスは60年ほどだけ。勿論電力使うレンジはいくつ有る、でも火がない。接触しないと、加温できない。今の手段は問題を解除する方法である。【選択図】図１
2012184898.tif 000002
【特許請求の範囲】
【請求項１】
水を分解して燃やすレンジ
【発明の詳細な説明】
【技術分野】
【０００１】
本発明は加熱するために使用されるレンジ
【背景技術】
【０００２】
AC電源を使用し、水を電解・加温する。水の温度が上げると、電解しやすくなる。水蒸気を出す、高温の燃焼室内に分解・助燃する。
【発明の概要】
【発明が解決しようとする課題】
【０００３】
二酸化炭素の排出
不可循環エネルギーの利用
【課題を解決するための手段】
【０００４】
水素を使う、然し水素は預けにくいが、水の状態で預ける。使う時に電解して使うほど電解する。AC電源の特点で水を加温し電解を加速する。同期に出した水蒸気は燃焼室内に分解・助燃する。
【発明の効果】
【０００５】
二酸化炭素排出の回避
可循環エネルギーの利用
【図面の簡単な説明】
【０００６】
【図１】構造図
【発明を実施するための形態】
【０００７】
従来のガスレンジの代替
【符号の説明】
【０００８】
【図１】
2012184898.tif 000003